(57)【特許請求の範囲】
【請求項１】
透明のコアシートと、前記コアシートの表裏にそれぞれ積層される透明の保護シートとを備えており、
前記コアシートの表面に、第１表絵柄と第２表絵柄とが印刷されており、
前記コアシートの裏面に、第１裏絵柄と第２裏絵柄とが印刷されており、
前記第１表絵柄と前記第１裏絵柄とは、絵柄化される対象の対を成す外観を表現する絵柄で形成されて、前記両絵柄の外郭線が一致させてあり、
前記第１表絵柄と前記第１裏絵柄との少なくともいずれか一方の外面の一部に白色の隠蔽絵柄が印刷され、前記隠蔽絵柄を含む前記コアシートに前記第２表絵柄と前記第２裏絵柄の少なくともいずれか一方が印刷してあることを特徴とする情報カード。
【請求項２】
前記コアシートの厚み範囲内に、アンテナ付きＩＣチップが埋設固定されて、前記ＩＣチップの埋設部分の表裏が前記各絵柄のいずれかで隠蔽してある請求項１記載の情報カード。  
【発明の詳細な説明】
【技術分野】
【０００１】
本発明は、カード内部に遠近感や奥行き感などの立体感を感じさせる立体印刷が施してある情報カードに関する。
【背景技術】
【０００２】
この種のカードは、例えば特許文献１に公知である。そこでは第１基材層と、第１基材層の表面に印刷される第１絵柄と、第１絵柄の外面に積層される第２基材層と、第２基材層の外面に形成される第２絵柄と、第２絵柄の外面に積層される透明保護層などでカードを構成している。第１基材層が紙や合成紙などの不透明材で形成してあるのに対し、第２基材層は透明なプラスチック材で形成してある。また、第１基材層の厚みが８０μｍであるのに対し、第２基材層の厚みは６８０μｍと分厚く形成してある。
【０００３】
上記のカードは、第１絵柄のうち立体感を強調したい部分の絵柄を第２絵柄として印刷しておき、第２絵柄と第１絵柄を斜めから見るとき、立体感を強調したい部分の絵柄が浮き上がったように見え、あるいは絵柄の縁部分に影が付くようにしたものである。
【０００４】
【特許文献１】特開平１０−３０９８８４号公報（段落番号０００８〜００１２、図１）
【発明の開示】
【発明が解決しようとする課題】
【０００５】
特許文献１のカードによれば、第２絵柄と第１絵柄との視差、具体的には第２基材層の厚みおよび屈折率の違いに基づく両絵柄の見え方の差によって立体感が得られる。しかし、立体感を発揮できるのはカードの表面だけであり、しかも奥行き感が第２絵柄を設けた部分に限定され、絵柄の見え方が見る人にとって手前側の第２絵柄と、奥側の第１絵柄との２層に限られる点で興趣に欠ける。また、表面側は透明感が得られるものの、紙などで形成した第１基材層の裏面側は透明感がなく、通常のカードにしか見えない点でも面白みに欠ける。
【０００６】
第１基材層の裏面側に、表面側と同様の第１絵柄、第２基材層、あるいは第２絵柄を付加すると、カードの表裏両面において立体感に富む絵柄を見ることができる。しかし、特許文献１のカードにおいては、絵柄の立体感（視差）を強調するために、第２基材層の厚みを６８０μｍと分厚く形成している。そのため表裏両面に立体印刷構造を設けると、カードの全厚寸法が１４４０μｍ以上となり、カードの仕様寸法をはるかに越えることから磁気カードやＩＣカードとして使用できなくなる。また、表裏両面に立体印刷構造を設けた場合には、表面の絵柄が裏面側から透けて見え、同様に裏面の絵柄が表面側から透けて見えるため、絵柄が煩雑に見えるのを避けられず、表面側の絵柄と裏面側の絵柄とをどのように調和させるかが問題となる。
【０００７】
本発明の目的は、カード全体が透明に形成してあって、表面側からはもちろん裏面側からも絵柄を立体的に見ることができる情報カードを提供することにある。本発明の目的は、表面側と裏面側とで異なる絵柄を立体的に視認でき、しかも３層以上の絵柄によって充分な奥行き感を発揮できる情報カードを提供することにある。
【課題を解決するための手段】
【０００８】
本発明の情報カードは、透明のコアシート３と、コアシート３の表裏にそれぞれ積層される透明の保護シート４・５とを備えている。コアシート３の表面に、第１表絵柄８と第２表絵柄９とを印刷し、コアシート３の裏面に、第１裏絵柄１０と第２裏絵柄１１とを印刷する。第１表絵柄８と第１裏絵柄１０とは、絵柄化される対象の対を成す外観を表現する絵柄で形成されて、両絵柄８・１０の外郭線が一致させてある。第１表絵柄８と第１裏絵柄１０との少なくともいずれか一方の外面の一部に白色の隠蔽絵柄１２を印刷し、隠蔽絵柄１２を含むコアシート３に第２表絵柄９と第２裏絵柄１１の少なくともいずれか一方を印刷することを特徴とする。本発明において、絵柄化された対象の「対を成す外観」とは、例えば対象の前面と後面、左側面と右側面、上面と下面、斜め前と斜め後、あるいは表と裏のように対になる外観を意味する。本発明における「透明」とは、完全透明に限られず、半透明、色付き透明も含む概念である。
【００１１】
コアシート３の厚み範囲内に、アンテナ付きＩＣチップ２を埋設固定して、ＩＣチップ２の埋設部分の表裏を各絵柄８〜１１のいずれかで隠蔽する。
【発明の効果】
【００１２】
本発明においては、透明のコアシート３と、コアシート３の表裏に積層される透明の保護シート４・５とで情報カードを構成して、カード全体が透明になるようにした。また、コアシート３と両保護シート４・５の積層面に、第１表絵柄８、第１裏絵柄１０、第２表絵柄９、および第２裏絵柄１１を印刷し、第１表絵柄８と第１裏絵柄１０を、絵柄化される対象の対を成す外観を表現する絵柄、例えば前面と後面の絵柄で形成して、両絵柄８・９の外郭線を一致させるようにした。
【００１３】
上記のように本発明の情報カードによれば、全体が透明なカード本体１のコアシート３の表裏に各絵柄８〜１１を印刷するので、表面側からはもちろん裏面側からも絵柄を見ることができ、しかもカード本体１の表側と裏側とで異なるデザインの絵柄として、興趣に富む情報カードとすることができる。第１表絵柄８と第１裏絵柄１０を例えば前面と後面の絵柄で形成して、両絵柄８・９の外郭線を一致させるので、カード本体１を表側と裏側から見るときの印象を統一化しながら、両絵柄８・１０の外郭線が互いに邪魔しあって煩雑に見えるのを避け、表側と裏側のデザインを調和させることができる。さらに、コアシート３の表裏に各絵柄８〜１１を印刷することにより、保護シート４・５を透かして見える絵柄と、保護シート４・５およびコアシート３を透かして見える絵柄とによって、絵柄に奥行き感を与えることができ、各絵柄の奥行き感の違いによってカード本体１の表側と裏側のそれぞれにおいて立体感を強調できる。
【００１４】
コアシート３の表面に第１表絵柄８と第２表絵柄９を印刷し、コアシート３の裏面に第１裏絵柄１０と第２裏絵柄１１を印刷する情報カードによれば、各絵柄８〜１１を同じ素材シートの表裏に印刷すればよいので、各絵柄８〜１１の位置合わせを印刷過程で確実にしかも容易に行うことができ、例えばコアシート３（の素材シート）に熱圧着される表裏の保護シート４・５に第２表絵柄９や第２裏絵柄１１を印刷する場合に比べて、各絵柄８〜１１の位置ずれを一掃できる。
【００１５】
第１表絵柄８や第１裏絵柄１０の外面の一部に白色の隠蔽絵柄１２を印刷したうえで、隠蔽絵柄１２を含むコアシート３に第２表絵柄９や第２裏絵柄１１を印刷する情報カードによれば、カード本体１を表側と裏側から見るときの第２表絵柄９または第２裏絵柄１１の見え方を異ならせて奥行き感を与えることができ、少なくとも絵柄が３層以上重なっているような印象を与えてさらに立体感を強調できる。また、第２表絵柄９や第２裏絵柄１１が、第１表絵柄８や第１裏絵柄１０と重なる部分に隠蔽絵柄１２を形成し、その外面に第２表絵柄９や第２裏絵柄１１を印刷することにより、絵柄が重なる部分と、そうでない部分とで第２表絵柄９や第２裏絵柄１１の色合いが異なって見えるのを解消して、各絵柄が形成してある層の違いを明確化し、奥行き感を強調できる。
【００１６】
コアシート３に埋設固定したＩＣチップ２の埋設部分の表裏を各絵柄８〜１１のいずれかで隠蔽する情報カードによれば、ＩＣチップ２が埋設してあることをカード外面から視認されるのを困難化して、ＩＣチップ２によって各絵柄８〜１１のデザインが損なわれるのを抑止し、カード本体１の外観上の印象を整えることができる。
【発明を実施するための最良の形態】
【００１７】
（実施例）  図１ないし図４は本発明をＩＣカードに適用した実施例を示す。図１に示すように、ＩＣカードは縦長長方形状のカード本体１と、カード本体１に埋設固定されるアンテナ付きＩＣチップ２とで構成してある。カード本体１は、透明のコアシート３と、コアシート３の表裏にそれぞれ積層される透明の表保護シート（保護シート）４および透明の裏保護シート（保護シート）５とで構成してあり、その全厚寸法は０．８ｍｍである。コアシート３と表保護シート４の積層面には、第１表絵柄８と第２表絵柄９とが印刷され、コアシート３と裏保護シート５の積層面には、第１裏絵柄１０と第２裏絵柄１１とが印刷されている。
【００１８】
コアシート３、および表裏の保護シート４・５は、それぞれ透明な非結晶性ポリエステル（ＰＥＴ−Ｇ）製のシートで形成してある。表裏の保護シート４・５の厚み寸法がそれぞれ０．２５ｍｍに設定されるのに対し、コアシート３の厚み寸法は０．２８ｍｍに設定してある。
【００１９】
各絵柄８〜１１は以下の手順に従ってスクリーン印刷法とオフセット印刷法で印刷される。非結晶性ポリエステル製の素材シート（コアシート）の表面に、不透明のインクを使用して第１表絵柄８を印刷し、さらに半透明のインクを使用して第２表絵柄９を印刷する。この実施例における第１表絵柄８は、人物（対象）を前面側からみた写真映像になっている。
【００２０】
第２表絵柄９は、カード端部を幅方向へ横断する装填方向表示であり、その中央部分に非印刷部分からなる三角形の方向表示９ａが形成してある。図示していないが、上記の各絵柄８・９の印刷に並行して、ＩＣカードを発行した法人や組織などのロゴマークやカード名などが素材シートに印刷される。なお、ロゴマークなどは、カードの裏側からみるとき鏡文字として見える。上記以外に、コアシート３の下部側に、下端から上部へ向かって色が徐々に淡く変化する地模様（グラディエーション模様）が印刷してあるが、図面が煩雑になるのを避けるために省略している。以上で素材シートに対する表面側の印刷が終了する。
【００２１】
引き続き、素材シートに対する裏面側の印刷を行うが、裏面側の第２裏絵柄１１は花柄部分１１ａと、翼部分１１ｂとに分けて印刷される。詳しくは、表面側の印刷が終了した素材シートを反転したのち、図２ないし図４に示すように、半透明のインクを使用して第２裏絵柄１１の花柄部分１１ａを印刷し、さらに不透明のインクを使用して第１裏絵柄１０を印刷する。次に第２裏絵柄１１の翼部分１１ｂを印刷するが、翼部分１１ｂの一部は第１裏絵柄１０と重なるため、この重なる部分に翼部分１１ｂと共通する不透明白色の隠蔽絵柄１２を印刷したうえで、半透明のインクを使用して翼部分１１ｂを印刷する。このように、第１裏絵柄１０と重なる部分に隠蔽絵柄１２を印刷し、その外面を含んで翼部分１１ｂを印刷することにより、翼部分１１ｂが第１裏絵柄１０と重なる部分と、第１裏絵柄１０と重ならない部分とで見かけの色が異なるのを解消できる。
【００２２】
第１裏絵柄１０は、第１表絵柄８の絵柄になった人物を、同じポーズで背面側から見た写真映像になっている。したがって、第１表絵柄８と第１裏絵柄１０とは、両絵柄の外郭線が一致する状態で重なる。図２に示すように、第２裏絵柄１１の花柄部分１１ａはカードの表側と裏側のいずれの側からも視認できる。また、第２裏絵柄１１の翼部分１１ｂは、カードの裏側からは全て視認できるが、カード本体１の表側からは第１裏絵柄１０と重なっていない部分のみを視認できる。このように、カードの表と裏で絵柄の見え方を異ならせることにより、奥行き感を増し立体感を強調できる。上記の各印刷部分のうち、隠蔽印刷部分がスクリーン印刷法で印刷され、絵柄印刷部分がオフセット印刷法で印刷される。
【００２３】
以上の印刷工程が終了したのち、素材シートに四角形の装填穴を打ち抜き形成し、そこにＩＣチップ２を嵌め込み装着して、素材シート（コアシート）の厚み範囲内に収める。最後に素材シートの表面および裏面に保護シート材（保護シート）を重ね、熱および圧力を加えて挟圧することにより素材シートおよび保護シート材を一体化できる。このように熱圧着されたブランクシートを、所定の縦横寸法に打ち抜くことにより、一群のＩＣカードが得られる。
【００２４】
以上のように構成したＩＣカードは、コアシート３、表保護シート４、および裏保護シート５の全てが透明シート材で形成してあるので、カード本体１の殆どの部分が透けて見え、第１表絵柄８と第１裏絵柄１０とがあたかも空中に浮かんだように立体的に見える。透徹感や冷涼感もある。また、第１表絵柄８と第１裏絵柄１０とは人物を正面および裏面から見た写真映像になっていて、カード本体１の表裏でデザインが異なっており、その分だけＩＣカードの見た目の印象を鮮烈なものとして興趣を醸すことができる。
【００２５】
第２裏絵柄１１の花柄部分１１ａは、カード本体１の表側と裏側とのいずれの側からも視認されて、あたかも第１表絵柄８および第１裏絵柄１０の奥に花柄部分１１ａが背景として配置してあるような立体感が得られる。第２裏絵柄１１の翼部分１１ｂは、カード本体１の表側と裏側とで見え方が異なり、とくに、カード本体１を裏面側から見るとき、見る人にとって手前側から順に翼部分１１ｂ、第１裏絵柄１０の人物、花柄部分１１ａが配置してあるように見え、奥行き感に富む絵柄模様となる。つまり、見る人に３層の絵柄が重なっているような印象を与えて奥行き感を強調できる。
【００２６】
図５は情報カードの別実施例を示す。そこでは、コアシート３の表面に第１表絵柄８と同じ外郭形状の隠蔽絵柄１４を印刷したのち、その外面に第１表絵柄８を印刷するようにした。同様に、コアシート３の裏面に第１裏絵柄１０と同じ外郭形状の隠蔽絵柄１４を印刷したのち、その外面に第１裏絵柄１０を印刷する。隠蔽絵柄１４は不透明白色のインクで印刷する。このように、第１表絵柄８および第１裏絵柄１０を隠蔽絵柄１４の外面に印刷すると、第１表絵柄８と第１裏絵柄１０の色調が大きく異なるような場合でも、各絵柄８・１０の色調を正確に再現することができる。
【００２７】
上記の実施例においては、奥行き感や遠近感を醸す絵柄を第２裏絵柄１１のみで構成したが、第２表絵柄９を利用して奥行き感や遠近感を醸す絵柄を構成することができる。その場合には、第１表絵柄８の外面の一部に白色の隠蔽絵柄１２を印刷し、隠蔽絵柄１２を含むコアシート３の表面に第２表絵柄９を印刷することにより、見る人に４層の絵柄が重なっているような印象を与えて奥行き感をさらに強調することができる。
【００２８】
コアシート３の厚み寸法は０．２〜０．５ｍｍの範囲内で選定することが好ましい。なお、コアシート３の厚み寸法が大きく設定してあると、コアシート３を透かして第２表絵柄９または第２裏絵柄１１を斜めに見るときの視差を大きくして奥行き感を強調することができる。さらに第２表絵柄９と第２裏絵柄１１とを同じ絵柄にしておいて、コアシート３を介して両絵柄９・１１を見るときの視差によって、絵柄を浮き上がらせ、あるいは絵柄の縁部分に影を付けることができる。
【００２９】
コアシート３および表裏の両保護シート４・５は、焼却時に塩素ガスが発生しないＰＥＴ−Ｇで形成してあることが好ましいが、必要があればポリ塩化ビニールシートや、ＡＢＳ樹脂シートなどで形成することができる。コアシート３と表裏の両保護シート４・５の形成素材は異なっていてもよい。
【００３０】
上記の実施例においては、ＩＣチップ２が組み込んであることを明確化するために、各絵柄８〜１１が形成されていない部分にＩＣチップ２を配置した場合を例示したが、必要があれば、ＩＣチップ２の埋設部分の表裏を各絵柄８〜１１で隠蔽することができる。第１表絵柄８と第１裏絵柄１０は、人、動物、植物、昆虫、建物、乗り物、自然の風景などをモチーフにして絵柄化することができる。
【産業上の利用可能性】
【００３１】
本発明の情報カードは、磁気ストライプ、接触型のＩＣチップ、非接触型のＩＣチップ、ＩＣタグ、２次元バーコードなどの、情報信号を読み書きするための記録媒体の少なくともひとつを備えている情報記録カードに適用できる。
【図面の簡単な説明】
【００３２】
【図１】ＩＣカードの分解斜視図である。
【図２】ＩＣカードの正面図、および背面図である。
【図３】カード本体に印刷される絵柄の分解斜視図である。
【図４】ＩＣカードの断面構造を示す断面図である。
【図５】印刷構造の別実施例を示す分解斜視図である。
【符号の説明】
【００３３】
１  カード本体
２  ＩＣチップ
３  コアシート
４  表保護シート
５  裏保護シート
８  第１表絵柄
９  第２表絵柄
１０  第１裏絵柄
１１  第２裏絵柄
【図１】
0005240753.tif 000002
【図２】
0005240753.tif 000003
【図３】
0005240753.tif 000004
【図４】
0005240753.tif 000005
【図５】
0005240753.tif 000006